(57)【要約】      （修正有）【課題】淡水観賞魚飼育用水槽中の飼育水に含まれる固形不純物を濾過するのに使用されるマット状の濾過材であって、特に、夏場の室外飼育等において多く発生するアオコを含め、固形不純物全体を効率的に阻集できる簡便な濾過材及び濾過装置を提供する。【解決手段】濾過材１０を、化学繊維をフェルト状に形成するマット状フィルタ層１１と、その一方の主面１１ａ側に、綿布１５を積層状に設ける。糞や餌のカス等は、マット状フィルタ層１１にて効率的に阻集される。また、濾過材１０にアオコの阻集効果が高い綿布１５の層を備えるためで、アオコはこの綿布１５にて効率的に阻集される。このため、マット状フィルタ層のみの濾過材や、これにポリエステル製織布を積層、併用したものの使用に比べると、固形不純物の全体の阻集が効率的に行われる。これにより、水の入れ替えまでの期間の長期化が図られる。【選択図】図１
0003185169.tif 000002
【実用新案登録請求の範囲】
【請求項１】
観賞魚飼育用水槽中の飼育水を循環させ、その循環流路においてその飼育水に含まれる固形不純物を濾過するのに使用されるマット状の濾過材であって、
化学繊維をフェルト状に形成してなるマット状フィルタ層と、
該マット状フィルタ層の少なくとも一方の主面側に、綿布を積層状に設けてなることを特徴とする濾過材。
【請求項２】
前記綿布を、前記マット状フィルタ層の両主面側に設けてなることを特徴とする請求項１に記載の濾過材。
【請求項３】
前記綿布が袋状に形成され、その内部に前記マット状フィルタ層を収容することによって、該綿布を、前記マット状フィルタ層の両主面側に設けてなることを特徴とする請求項１又は２のいずれか１項に記載の濾過材。
【請求項４】
前記綿布が、前記マット状フィルタ層に縫い付けられていることを特徴とする請求項１〜３のいずれか１項に記載の濾過材。
【請求項５】
観賞魚飼育用水槽中の飼育水を循環させ、その循環流路において設けられる濾過装置であって、その飼育水がマット状の濾過材を厚み方向に通過することによってその飼育水に含まれる固形不純物を濾過するように構成された濾過装置において、
該濾過材に、請求項１〜請求項４のいずれか１項に記載の濾過材を用いたことを特徴とする濾過装置。
【考案の詳細な説明】
【技術分野】
【０００１】
本考案は、観賞魚飼育用水槽の飼育水中に含まれる、糞や餌の残カス、或いは、水槽中において発生するアオコ等を阻集して濾過するための濾過材、及びこれを用いた濾過装置に関する。
【背景技術】
【０００２】
観賞魚の飼育においては、その飼育用水槽（以下、単に水槽ともいう）中の飼育水（以下、単に水ともいう）の水質を良好に維持することが重要である。このため、従来、その水質維持のために濾過装置（浄化装置）が使用される。このような濾過装置は、例えば、水槽の上部に設けられ、水槽の水を、電動ポンプで汲み上げ、同装置内に設けられた濾過材（濾過フィルタ）の上面に落下するように吐出（供給）させ、この濾過材を通過させて、飼育水に含まれている汚染物（固形物）を吸着等により阻集することで濾過し、濾過後の浄化した水を水槽中に落下等させることで戻すように構成されている（例えば、特許文献１）。ここに汚染物の主たるものは、観賞魚の糞や餌の残カス、そして、観賞魚がメダカや金魚等の淡水魚の場合、水槽中において発生するアオコ等の藻類である。そして、このような汚染物の阻集法や除去法としては、微生物による除去法もあるが、前記したように濾過装置内に設けられた濾過材にてこれらを物理的に阻集し又は吸着させて濾し取る方法が、一般の家庭では簡便であり、したがって広く採用されている。ここに、濾過材としては、ポリエステルなどからなる細い化学繊維をフェルト状に形成してなるマット状フィルタ（化学繊維を平坦な（マット状）フェルト状に形成したもの。化学繊維マット又は単にフィルタともいわれる。）が広く使用されている。
【０００３】
このような濾過装置においては、その使用期間の経過等により、必然的に濾過材が汚れ、また、目詰まりを起こして汚染物の阻集性能が低下する。このため、適宜、濾過材の洗浄（水洗い）を行い、その再生を行うことになる。また適度の使用期間経過後においては、それを新品に交換することになる。一方、このような濾過材を用いる場合には、基本的には、水の入れ替えは不要であり、蒸発によるその減少分の注ぎ足をすることでよいとされている。
【先行技術文献】
【特許文献】
【０００４】
【特許文献１】特開平１０−１９２８８７号公報
【考案の概要】
【考案が解決しようとする課題】
【０００５】
しかし、上記した従来の濾過装置に使用されている化学繊維マットからなる濾過材では、糞や餌の残カス等の固形物は良く阻集される。一方で、メダカや金魚等の飼育において夏場に多く発生しがちなアオコの阻集効率が極めて悪く、それ故、その場合には、水の緑色濁が早期に発生しやすいという問題があった。本願考案者は、多数の淡水魚（メダカ等）を室内外（住居内及びベランダ等）で飼育しており、その体験からすると、次のようである。アオコが多く発生する夏場においては、とりわけ室外飼育の場合には、短時間、期日でそれが発生し、増殖するため、頻繁に水の入れ替えを余儀なくされていた。具体的には、例えば、メダカについては、５０リットルの水槽で、１００匹程度の飼育条件の場合、４〜５日おきに、水の入れ替え作業を余儀なくされていた。入れ替える水は、その都度、半分程度であるが、それでも、多数の水槽を用いて飼育管理しているため、水使用量の増大による飼育コストの増大に加えて、飼育手間が多大なものになっていた。
【０００６】
しかも、このように発生、増殖するアオコは、単に水の濁りを招くだけでなく、水槽を形成するガラス壁（透明ガラス板、又は透明樹脂板。以下、「ガラス」ともいう）に付着し、そのガラス面を汚することになる。このため、放置すれば、水の入れ替え後でも、１０〜１５日で、槽内の魚を見えなくしてしまう。こうしたことから、水の入れ替え時等には、その付着による汚れを除去する拭き掃除を行うことも余儀なくされていた。
【０００７】
本願考案者は、従来の化学繊維マットからなる濾過材では効率良く阻集できないアオコを、如何にしたら簡便に効率よく阻集し、除去できるかということについて、種々の試みをしてみた。まず、アオコの阻集に効果的であるとされている市販の各種フィルタを使用してその比較してみたが、その効果はいずれのものでも大差はなく、その効果は満足のいくものではなかった。また、それらにおいて、その使用枚数（積層数）を増やして試験してみたところ、それぞれにおいて一応の効果の向上は見られたが、いずれも、コスト負担の割には、それほどの効果は得られなかった。
【０００８】
本願考案者は、その他に色々な濾過手段を試行していた。具体的には、各種の繊維から織成されてなる布（例えば、ポリエステル製織布）等を、上記濾過材（化学繊維マットからなる濾過材）に重ねるなどして、アオコの阻集性能の違いをみてみたところ、その中で、濾過装置に、従来使用していた上記濾過材に加えて、その上面、又は下面に綿布を貼り付けるか、重ねるようにして、綿布を併用した場合には、それを併用しない場合や、その他の布等を併用した場合に比べて、アオコの阻集効率が極めて良くなり、水の緑色濁の発生が格段と低減できることを知った。具体的には、上記と同条件の夏場の室外飼育において、水の入れ替えが、８〜１０日おきで十分になった。また、ガラスの汚れ程度も格段と低減でき、したがってその拭き掃除も簡易にできるようになった。これに対して、綿布を併用しない場合や、綿布以外の布（化学繊維布）等を併用した場合には、上記と同様であった。綿布を併用した場合、何故、アオコの阻集効率が格投と向上するかという理由は不知である。ただ、本願考案者としては、綿布を構成する綿糸は、これを微視的に見ると、その綿糸１本についても、それが微細な繊維の集合体であり、しかも、各繊維は表面において無数の鈎状の毛張りがあり、かつ、極めて複雑に絡み合っていることから、アオコがその繊維間で阻集し、又は吸着され易い性質を有していると考えている。逆に、化学繊維からなるマット状フィルタ層を構成する各繊維（化学繊維）や、化学繊維を構成する糸は、綿糸よりそれが相対的に太く、または、その表面が比較的滑らかであることから、アオコを阻集したり、それが吸着し難いと考えている。
【０００９】
本考案は、上記知見に基づいてなされたもので、観賞魚（淡水観賞魚）の飼育中、特に、夏場の室外飼育、或いは陽が当る場所での室内飼育において多く発生するアオコを効率的に阻集できる簡便な濾過材、及びこれを含んでアオコを効率的に濾過できる濾過装置を提供することをその目的とする。
【課題を解決するための手段】
【００１０】
請求項１に記載の考案は、観賞魚飼育用水槽中の飼育水を循環させ、その循環流路においてその飼育水に含まれる固形不純物を濾過するのに使用されるマット状の濾過材であって、
化学繊維をフェルト状に形成してなるマット状フィルタ層と、
該マット状フィルタ層の少なくとも一方の主面側に、綿布を積層状に設けてなることを特徴とする。
請求項２に記載の考案は、前記綿布を、前記マット状フィルタ層の両主面側に設けてなることを特徴とする請求項１に記載の濾過材である。
【００１１】
請求項３に記載の考案は、前記綿布が袋状に形成され、その内部に前記マット状フィルタ層を収容することによって、該綿布を、前記マット状フィルタ層の両主面側に設けてなることを特徴とする請求項１又は２のいずれか１項に記載の濾過材である。
請求項４に記載の考案は、前記綿布が、前記マット状フィルタ層に縫い付けられていることを特徴とする請求項１〜３のいずれか１項に記載の濾過材である。
請求項５に記載の考案は、観賞魚飼育用水槽中の飼育水を循環させ、その循環流路において設けられる濾過装置であって、その飼育水がマット状の濾過材を厚み方向に通過することによってその飼育水に含まれる固形不純物を濾過するように構成された濾過装置において、
該濾過材に、請求項１〜請求項４のいずれか１項に記載の濾過材を用いたことを特徴とする。
【考案の効果】
【００１２】
観賞魚飼育用水槽中の飼育水を循環させ、その循環流路において設けられる濾過装置であって、その飼育水がマット状の濾過材を厚み方向に通過することによってその飼育水に含まれる固形不純物を濾過するように構成された濾過装置において本考案の濾過材を使用する場合には、次の効果が得られる。例えば、濾過装置を観賞魚飼育用水槽の上部に取り付け、飼育水をポンプで汲み上げ、これを、濾過装置内に設けられた本考案に係る濾過材の上面に吐出させ、この濾過材を厚み方向に通過させることで濾過し、濾過後の濾過水を水槽に戻す場合で説明する。本考案の濾過材は、マット状フィルタ層と、綿布との積層構造を有している。このため、飼育水中に含まれている糞や餌のカス等の固形不純物は、従来と同様に、マット状フィルタ層にて効率的に阻集される。一方、アオコは、これにて阻集され難いのであるが、本考案の濾過材においては、アオコの阻集効果が高い綿布を備えているため、アオコはこの綿布にて効率的に阻集される。これにより、綿布を有さない従来のマット状フィルタ層のみの使用に比べると、本考案の濾過材を用いる場合には、アオコが効率的に阻集される分、飼育水中に含まれる固形不純物全体の阻集が効率的に行われるから、水の入れ替えまでの期間の長期化が図られる。また、ガラスの汚れも少なくなるため、その拭き掃除の簡易化も図られる。このように、本考案によれば、従来のマット状フィルタ層に綿布を積層するという単純な手段の付加により、特に夏場の室外飼育や、陽の当る場所の室内飼育においては、飼育コストと飼育手間の低減が図られる。
【００１３】
本考案において綿布は、該マット状フィルタ層の少なくとも一方の主面側に設けることでよいが、請求項２に記載のように、両主面側に設けることとしてもよく、その場合には、アオコの阻集に効果的な綿布の層が２つとなるから、一層高いアオコの阻集効果が得られる。そして、この場合には、請求項３に記載の考案のように、綿布を、袋状に形成し、マット状フィルタ層をこの内部に収容したものとすると、それらが汚れたり、目詰まり状態となったときの水洗いや、その際の取扱いが容易となり、便利である。なお、請求項４に記載の考案のように、綿布が、前記マット状フィルタ層に縫い付けられているものとすることで、それを濾過装置に敷いたりする場合も含め、さらにその取扱いが容易となる。
【００１４】
本考案において、マット状フィルタ層は、繊維密度が低い（又は粗密の絡み合い）ほど通水性は高められるが、細かい固形不純物を濾過、又は、阻集し難くなり、逆にその繊維密度が高い（緻密）ほど通水性は低くなるが、細かい固形不純物の阻集能力が向上する。これと同様、本考案の濾過材を構成する綿布も、それが経糸、緯糸で織成されたものである場合、綿糸相互間が粗密に織成されたものでは、アオコの阻集性能は低下し、そして、緻密に織成されたものでは、アオコの阻集性能は向上するが、通水性は低くなる。このため、本考案の濾過材をなす綿布は、アオコの阻集性能の向上の観点からは、汲み上げ、又は吐出される水量（濾過する時間当たりの水量）に対し、溢水等の通水における支障を招かない範囲で、かつ、早期の目詰まりが防止される範囲において、綿糸相互間がなるべく緻密に織成されたものを用いるのがよい。そして、これらは、本考案の濾過材をなす綿布の通水性と通水面積（綿布自体の表面積の大きさ）を考慮して設定すればよい。なお、本考案において綿布とは、綿を主成分とする布をいうものとする。したがって、本考案において、綿布は、綿１００％の綿糸からなるもののほか、それより、アオコの阻集性能の低下はあるものの、綿を主成分とする混紡糸からなる布であってもよい。
【００１５】
また、本考案において使用される綿布は、複数枚重ねて、これを１つのマット状フィルタ層の１つの主面側（又は両面における各主面側）に設けてもよい。さらに、本考案にかかる、マット状フィルタ層に綿布を積層状に設けてなる濾過材は、この濾過材を複数重ねて使用すると、糞や餌のカス、さらにはアオコのさらなる高い濾過、阻集効果が得られることから、これを濾過装置に用いる場合には、発生するこれら固形不純物の量に応じて、その枚数を設定すればよい。
【図面の簡単な説明】
【００１６】
【図１】Ａは、本考案の濾過材を具体化した第１実施形態例を模式的に示した平面図であり、Ｂは、その断面図。
【図２】Ａは、 図１の濾過材を模式的に示した分解斜視図（綿布をフィルタ層に積層する前の図）、Ｂは、その積層後の斜視図。
【図３】Ａは、図１の濾過材を用いた濾過装置、及びこの濾過装置を適用した観賞魚飼育用水槽を模式的に示した断面図、Ｂは濾過装置を含め、水槽を上から見た図。
【図４】図３の水槽に使用されている濾過装置の拡大断面図。
【図５】本考案の濾過材を具体化した別例−１の模式的断面図。
【図６】Ａは、本考案の濾過材を具体化した別例−２の模式的平面図、Ｂはその断面図。
【考案を実施するための形態】
【００１７】
本考案の濾過材を具体化した実施形態例（第１実施形態例）について、図１および図２に基づいて詳細に説明する。本例の濾過材１０は、平面視、長方形で、略一定厚さの平板状に形成されたマット状フィルタ層１１と、その片面（図示上方の面）１１ａに積層状に配置して設けられた、同フィルタ層１１と、平面視、同寸（又はこれよりひと回り大きい）の長方形に裁断された綿布１５とからなっている。マット状フィルタ層１１は、例えば、ポリエステル繊維を絡み合わせ、適度の圧力をかけて圧着して平坦なフェルト状とし、その後、平面視、所定寸法の長方形に、裁断して形成してなるものであり、従来、公知のものと同じである。また、綿布１５は、図１、図２に示したように、このマット状フィルタ層１１の片面１１ａを覆うように、その片面１１ａに貼り付けられる形で積層されている。マット状フィルタ層１１に対し、綿布１５は、固着されていなくてもよいが、両者の積層状態が安定して保持され、或いはマット状フィルタ層１１に対して綿布１５がずれないように、適所（複数箇所）において止着しておくとよい。止着手段としては、ステイプラーによる適数箇所の針留めや接着でもよいが、本例では、安全のため、図１のＡにおいて、平面視、長方形の各辺に沿って、直線の１点鎖線で示したように、糸による縫い付けで、両者のずれ防止が図られている。
【００１８】
このような本例の濾過材１０は、例えば、図３に示したように、上方を開口する直方体、箱形状の観賞魚飼育用水槽（ガラス水槽）５０の上部に載置状にして設けられた濾過装置１００における濾過手段（濾過材１０）として使用される。図３、図４に示したように、この濾過装置１００は、濾過装置本体用ケース（以下、本体用ケース）１１０と、この本体用ケース１１０の内側に設けられて、汲み上げられた観賞魚飼育用水槽５０中の飼育水を濾過する濾過材設置用ケース（濾過ケース）１４０等から構成されている。
【００１９】
本体用ケース１１０は、上方を開口する細長の直方体箱形状を呈しており、その底板１１３が水槽５０内の飼育水５３の水面５５を跨ぐ形で、水槽５０の対向する２つの壁（ガラス壁）５１の上縁に載置状にして設置されている。本体用ケース１１０には、図示の一側（図３の右側）のポンプ室１１５を除き、濾過後の飼育水が所定深さＨ１溜まるように設定されている。そして、本体用ケース１１０の図示の他側（図３の左側）には、所定深さＨ１まで水が溜まると、以後は、その水をオーバーフローさせて、水槽５０に戻す（重力落下させる）ことで循環させるためのオーバーフロー用パイプ１３０が、底板１１３を貫通して立設されている。図中の矢印は飼育水の循環の流れを示す。
【００２０】
ポンプ室１１５には、水槽５０中の飼育水を汲み上げて、これを濾過ケース１４０の上において吐出させるためのポンプ１２０が設けられている。ポンプ１２０には、飼育水を吸引して汲み上げる（ポンプアップするための）吸引パイプ１２３と、汲み上げた飼育水を濾過ケース１４０の上において吐出させる吐出パイプ１２５が設けられており、これらのパイプは、本体用ケース１１０の一側（図３の右側）において底板１１３を上下に貫通して設けられている。なお、吸引パイプ１２３の下端は、飼育水中に水没させられていると共に、円筒形状のストレーナ（飼育魚の吸引防止用の格子付き通水部材）１２７が設けられている。
【００２１】
濾過ケース１４０は、その底板１４３に設けられた脚部（図示せず）を介して、本体用ケース１１０の底板１１３の上面との間で所定の空隙（循環流路）が保持される配置で、本体用ケース１１０内に設けられている。濾過ケース１４０の底板１４３には、全体にわたって多数の通水孔（例えば、円形の貫通孔）が設けられている。なお、濾過ケース１４０は、その底板１４３を含む低部が、本体用ケース１１０内に溜まる水のオーバーフロー面より低位となる（水没する）ように本体用ケース１１０内に設けられている。
【００２２】
一方、上記例の濾過材１０は、この濾過装置１００における濾過ケース１４０内において、その底板１４３の上に、平面視、その内周に沿って、略隙間なく敷かれている（図３−Ｂ参照）。なお、図示では濾過材１０は、綿布１５が上面に位置するようにして敷かれているが、上下は、この逆でもよい。また、この濾過材１０は、濾過ケース１４０の底板１４３の上に直接敷いてもよいが、本例では、その底板１４３の上に袋入り活性炭（袋入り粒状活性炭群）１５０を配置し、その上に敷いている。これにより、濾過後の飼育水の浄化が高められるようにされている。また、濾過材１０は、１層（１枚）用いるだけでもよいが、汚染物の発生状態にあわせて複数用いればよく、本例では、２層（２枚）、重ねて積層している状態を示している。
【００２３】
そして、濾過ケース１４０の上部内側には、平面視、矩形のトレイ状のストレーナ１６０が載置されている。このストレーナ１６０は、その平坦な底面１６３に、濾過材１０の上面の全体に対応するように、多数の通水孔（円形穴）が設けられており、濾過ケース１４０の対向する両壁１４３の上端に支持させている。吐出パイプ１２５の上端は、横向きに開口されており、このストレーナ１６０の上にポンプ１２０で汲み上げられた飼育水を、図３、図４中、矢印で示したように、吐出させるように設定されている。これにより、吐出された飼育水は、ストレーナ１６０の底面（上面）１６３の全域に流れ拡がり、ゴミ等の大きな不純物を阻集するとともに、そこに設けられた多数の通水孔から、その下に設けられている濾過材１０の上面の全体に流下するように設定されている。
【００２４】
上記濾過装置１００によれば、ポンプアップされた飼育水は、吐出パイプ１２５でストレーナ１６０上に吐出され、その底面１６３の全域に流れ及んで、多数の通水孔から、上の濾過材１０の上面の全体に流下する。上の濾過材１０の上面に流下した飼育水は、その上面をなす綿布１５、その下のマット状フィルタ層１１を厚み（層を貫通する）方向に通過し、その通過の際に、含まれる汚染物が濾過される。そして、下の濾過材１０においても、それを厚み方向に通過し、同様に濾過される。さらに、本例では、活性炭層１５０が設けられているためそれによる浄化が行われる。このようにして濾過され、浄化された飼育水は、濾過ケース１４０の底板１４３に設けられた通水孔から、本体用ケース１１０の底板１１３上に流れて、初期のポンプ１２０の運転開始後は所定水位（オーバーフロー用パイプ１３０の上端）Ｈ１となるまで上昇して溜まる。その後は、オーバーフロー用パイプ１３０の上端においてオーバーフローし、同パイプ１３０を流下して水槽５０内に戻される。
【００２５】
しかして、本例の上記濾過装置１００により、飼育水は上記したように循環する。そして、その循環過程では、上記濾過材１０を通過するため、飼育水中に含まれている糞や餌のカス等の固形不純物は、従来と同様に、そのマット状フィルタ層１１にて効率的に阻集される。一方、マット状フィルタ層１１にて阻集されにくく、従来ならば水槽５０に還流してしまうところのアオコは、その濾過材１０に、アオコの阻集効果が高い綿布１５が積層状に設けられていることから、この綿布１５にて効率的に阻集される。これにより、綿布１５を有さない従来のマット状フィルタ層１１のみからなる濾過材の使用の場合に比べると、上記例の濾過材１０を用いた本濾過装置１００においては、アオコが効率的に阻集される。すなわち、本例の濾過材１０を用いた場合には、飼育水中に含まれる固形不純物全体の阻集が効率的に行われるから、高水質を長期に維持できる。このため、特に夏場の室外飼育、及び陽の当る室内飼育において、水の入れ替えまでの期間の延長が図られるため、飼育コストと飼育手間の低減が図られる。そして、発生するアオコのガラスへの付着やそれによる汚れも少なくなるため、その拭き掃除の簡易化も図られる。
【００２６】
ここで、上記水槽５０に上記濾過装置１００を用いた場合（本例の濾過材１０を用いた場合）と、その濾過材１０において綿布１５を除去した、マット状フィルタ層のみからなる濾過材（比較例１）と、マット状フィルタ層にポリエステル製織布を積層してなる濾過材（比較例２）を用いた場合において、アオコの阻集能力の違いを、透明度の低下（特に、アオコによる緑色濁りの進行）の度合いから確認してみた。飼育環境は、夏場（７月、８月）で、室外であり、水槽５０は、平面視、縦横それぞれ、すなわち、正面から見た幅が６００ｍｍ，奥行きが３００ｍｍで、高さ３５０ｍｍのもので、使用水量は約５５リットル。また、飼育観賞魚は、１つの水槽５０にメダカ１００匹を入れたものとした。そして、この水槽５０は、本例と比較例１，比較例２の濾過材ごと、それぞれ、２個（合計６個）用いた。ポンプ１２０の循環水量は、８Ｌ／ｍｉｎである。なお、透明度の低下は、検査板としてプラスチック製白色板（３０ｍｍ角）を水底におき、水替えしないで、上から目視不能となるのを判定基準として、その日までの日数を調べた。
【００２７】
結果は、いずれにおいても、糞や餌のカスは、マット状フィルタ層１１にて効率よく阻集される。一方、いずれにおいてもアオコの発生がみられた。他方、比較例１，２では、いずれの水槽５０とも、試験開始後２０日以内で、検査板の目視が不能となった。これに対し、綿布１５を併用した本例の濾過材１０を使用した場合においては、２つの水槽５０とも、試験開始後、２５日においても、検査板の目視が可能であり、試験開始後、３０日において、ようやく、検査板の目視が、し難くくなった程度である。ここで、メダカの保護のため、試験は打ち切った。以上の結果は、とりもなおさず、本考案の効果、すなわち、アオコは綿布１５を使用することによって著しく効果的に阻集されることが実証された。また、他の布（例えばポリエステル製織布）ではその効率的な阻集効果が得られないことも分かる。なお、綿布１５を併用した本例の濾過材１０の使用においては、発生したアオコを綿布１５で効率よく阻集する結果、綿布１５自体は付着するアオコによる緑色汚れが多く発生する。なお、これによる目詰まりを解消するため、それを水洗いすることで再使用すればよいのは、マット状フィルタ層１１の汚れを水洗いして再使用する場合と同様である。
【００２８】
ここで、濾過材２０の別例−１について、図５に基づいて説明する。ただし、このものは、上記例の濾過材１０が、マット状フィルタ層１１の片面にのみ、綿布１５を積層したものであったのに対し、綿布１５をその両面１１ａ，１１ｂに積層したものである点が相違するのみであるから、同一の部位には同一の符号を付すに止め、その説明を省略する。以後の各例においても同様とする。この別例−１のものでは、綿布１５が両面１１ａ，１１ｂ側にある分、アオコの阻集性能が上記例のものより高められる。なお、このものにおいても、上記例のものと同様に、綿布１５をマット状フィルタ層１１に縫いつけ等により止着しておくとよい。
【００２９】
次に、濾過材３０の別例−２について、図６に基づいて説明するが、この濾過材３０は、前例のいわば改良例とでも言うべきものである。すなわち、このものでは、綿布１５を例えば平坦な袋状に縫製し、この中にマット状フィルタ層１１を挿入してなるものである。このものでは、綿布１５をマット状フィルタ層１１に縫いつけしなくても、濾過材３０を構成するそれらの一体性が容易に保持されるので、取り扱い性がよく、便利である。この場合、袋の一側（例えば図６の右側）に開口部を設けておき、ここにファスナーやフックを設けて開閉自在にしておくと、矢印で示したように、マット状フィルタ層１１の出し入れができるため、水洗い等の取り扱いにおいて便利である。しかも、綿布１５が袋状になっていることから、袋の内面において阻集されたアオコ等の不純物をその中に閉じ込め易いため、層間において流出して水槽５０に戻されてしまう、という問題を効果的に防止できる。これにより、アオコによる緑色濁りの防止や、ガラスの汚れ発生防止に一層有効である。
【００３０】
なお、本考案の濾過材は、使い捨てとしてもよい。その場合において図６に示したように、綿布１５を袋状としてその中にマット状フィルタ層１１を入れた濾過材３０とする場合には、図６−Ｂに２点鎖線で示したように、それを入れた後、その入口側（図６−Ｂの右側）を閉じて縫い付けてもよい。
【００３１】
本考案に係る濾過材は、上記した各例のものに限定されるものではなく、適宜に、変更して具体化できる。例えば、綿布の編方、綿布の織成法、綿布を構成する綿糸（経糸、緯糸）の太さ等は、阻集したいアオコの発生状況や通水量又は綿布の平面積等に応じて決めればよい。また、１枚の濾過材を構成するマット状フィルタ層に設ける綿布は、１層（１枚）でもよいが、これも複数層（複数枚）重ねて設けるものとしてもよい。また本考案に係る濾過材は、飼育水を循環させる流路途中に設け、その飼育水を、この濾過材の厚み方向に通過させることで、糞や餌のカス等の固形不純物、及び、発生するアオコを阻集するものである。したがって、その使用形態では、これを丸めて、例えば、上記例の図３、図４の円筒形状のストレーナの内面（又は外面）に貼り付ける形で設けるようにしてもよい。
【００３２】
また、本考案における濾過材は、飼育水を循環させる流路途中に設け、その飼育水を、この濾過材の厚み方向に通過させることで、糞や餌のカス等の固形不純物、及び、発生するアオコを阻集するものであるから、１つの水槽をその内部において左右に通水可能の仕切り板（通水可能の格子板）で仕切り、例えば、右室を飼育室とし、その右室の水をポンプにより左室に落下等により戻し、その左室から右室にその仕切り板を介して水を流動する形で循環させる場合にも使用できる。すなわち、この場合には、左室において仕切り板に沿うように、本考案の濾過材を配置する（貼り付ける）ことでその効果が得られることは明らかである。因みに、この場合には、濾過材の配置の安定を保持するため、前記仕切り板と同様の仕切り板でこの濾過材を挟むようにしておくとよい。このように本考案の濾過材を用いる濾過装置は、上記例におけるものに限定されるものではなく、前記したように水槽内に濾過材を配置するような構成のものも含まれる。すなわち、本考案の濾過装置は、観賞魚飼育用水槽中の飼育水を循環させ、その循環流路において設けられる濾過装置であって、その飼育水がマット状の濾過材を厚み方向に通過することによってその飼育水に含まれる固形不純物を濾過するように構成されたものでありさえすればよい。
【符号の説明】
【００３３】
１０、２０，３０  マット状の濾過材
１１  マット状フィルタ層
１１ａ，１１ｂ  マット状フィルタ層の主面
１５  綿布
５０  観賞魚飼育用水槽
５３  飼育水
【図１】
0003185169.tif 000003
【図２】
0003185169.tif 000004
【図３】
0003185169.tif 000005
【図４】
0003185169.tif 000006
【図５】
0003185169.tif 000007
【図６】
0003185169.tif 000008